(57)【特許請求の範囲】
【請求項１】
可撓性の材料で出来ており且つユーザの腰の周りに装着するのを許容する長さを有するベルトと、該ベルトに取り付けられた電池パック及び回路とを備える装置としての、ユーザが着用する持運び型の反射性ベルト（５１）において、
複数の光源（６４；７１）と、
該ベルトの長さ方向に沿って延びると共に光を伝送する、少なくとも１つの細長い光伝送部材（６１；６７）と、
同長さ方向に沿って延びると共に前記光源及び前記光伝送部材を取り巻く細長い包囲体（５２，５３）とを備え、
前記光伝送部材の上面（６２；６８）には、外方に向けて突出する丸みが設けられ、同下面には、前記光伝送部材の長さ方向に沿って延びると共に内方に向けて窪む引込部（６３；６９）が設けられ、
前記光源（６４；７１）が、該引込部（６３；６９）内においてこれの長手方向に沿って所定間隔離間して配置されている、反射性ベルト。
【請求項２】
請求項１に記載の反射性ベルトにおいて、前記光伝送部材（６１；６７）が実質的に透明な熱溶融型接着性の熱可塑性材料からなる、反射性ベルト。
【請求項３】
請求項１又２に記載の反射性ベルトにおいて、前記包囲体（５２，５３）が、前記光伝送部材の下面側に配置されると共に光反射性材料からなる裏当て層（５２）と、同上面側に配置されると共に半透明なプラスチック材料からなる前側層（５３）とを備える、反射性ベルト。
【請求項４】
請求項３に記載の反射性ベルトにおいて、前記裏当て層（５２）が白色であり、前記前側層（５３）が前記光伝送部材からの光を分散させるビニル・レンズである、反射性ベルト。
【請求項５】
請求項１乃至４の何れか１項に記載の反射性ベルトにおいて、前記光源（６４；７１）が、電池作動の回路により駆動されると共に光伝送部材（６１；６７）を通じて閃光特性を提供する、反射性ベルト。
【請求項６】
請求項１乃至５の何れか１項に記載の反射性ベルトにおいて、前記包囲体が、前記光源及び前記光伝送部材を収容する収容部を中央部分に有すると共に端縁に沿って互いに係脱自在に係合する、ループ（８３）を有する一方のループストリップ（８２）とフック（８５）を有する他方のフックストリップ（８４）とからなる一対のストリップを備える、反射性ベルト。
【請求項７】
請求項６に記載の反射性ベルトにおいて、前記ループストリップ（８２）が光反射性材料からなり、前記フックストリップ（８４）が前記光源及び前記光伝送部材を収容する収容部を有すると共に半透明材料からなる、反射性ベルト。
【請求項８】
請求項１乃至７の何れか１項に記載の反射性ベルトにおいて、前記光伝送部材（６１；６７）が、添加された１つ以上の色素又は着色剤を含む、反射性ベルト。
【請求項９】
請求項１乃至８の何れか１項に記載の反射性ベルトにおいて、前記光源（６４；７１）が、色スペクトルの列内の所望の光を形成するために、赤、緑及び青色の発光ダイオードから組み合わされている、反射性ベルト。
【請求項１０】
請求項１乃至９の何れか１項に記載の反射性ベルトにおいて、前記光源（６４；７１）が、前記引込部（６３；６９）を充填している熱溶融型接着剤（６５；７２）内に埋め込まれているダイオードである、反射性ベルト。
【請求項１１】
細長かつ可撓性の実質的に透明な熱溶融型接着性の熱可塑性材料を備える安全ベルト（５１）であって、前記熱可塑性材料が、外方に向けて突出する丸みが設けられた上面（６２；６８）と、前記熱可塑性材料の長さ方向に沿って延びると共に内方に向けて窪む引込部（６３；６９）が設けられた下面とを有する、安全ベルト（５１）において、
前記下面に形成された光反射構造体（７３）と、
前記引込部の熱溶融型接着剤（６５；７２）内に封入されている光源（６４；７１）とを備える、安全ベルト。
【請求項１２】
請求項１１に記載の安全ベルトにおいて、前記光反射構造体（７３）がマイクロプリズムである、安全ベルト。
【発明の詳細な説明】
【０００１】
【発明の分野】
本明細書に開示した本発明は、光の伝送分野に関し、より具体的には、自己支持型の光伝導性媒質に関し及び反射性ベルト、チョッキ、ヘルメット等にて安全及び同様の目的に使用される光伝送性材料のような媒質を使用することに関する。
【０００２】
【背景】
近年、米国及びその他の国では人間の幸せ及び健康に対する関心が最も重要な関心事となっており、このため、市街及び田舎の道、歩道、公園及びランニングコースにて運動のためにランニング、ジョギング又はウォーキングをする人及びグループを見ることは普通のことになっている。時間的制約のため、多くの人々は仕事前に、又は仕事の後に、夕暮れ時の夕方又は暗闇にランニングする。光が暗いか又は暗闇のとき、通りの照明は通常、通りの曲がり角に設置されており、長い通りのブロックの区間に亙って照明が存在しないため歩道が無く又は歩道が荒れていることで通りを走るランナーを照明する明るさは最小であり、このため、ランナーを常にはっきりと見えるとは限らない。見ることに影響を与える別のファクタは、多くのランナーが光を反射しない黒い服を着ているため、その通りを走る自動車のドライバが走っているランナーを容易に見ることができないことである。
【０００３】
ランナーがより見易いようにするための最近の試みは、走行する自動車から投射される照明によって見え易くするためランナーが白い服又は明るい光の服を着用するようにし、又は走行する自動車の光を捕らえ且つ反射する光反射性テープを前側及び背中側に付けたジャケットのようなランニング服を提供しようとすることを含む。これらの対策にも拘らず、さもなければ避け得たであろうランナー及び走る自動車に関係する事故が多数発生している。当然、ランナー又はジョガーと走る自動車とが衝突したとき、ランナーの方がよりひどく負傷し、近年、ランニング中に走る自動車にぶつかって死亡する者の数は増加している。
【０００４】
こうした問題点、及びこれに伴う負傷、死亡事故並びにそれに伴う費用を解消するため、暗闇又は見え難い状況下にてランナーをより眼で見易くするための装置を提供する努力が為されている。１つの一般的な手段は、チョッキの水平部分及び垂直部分の双方又はその何れか一方に反射性テープを設けた反射性チョッキをランナーが上半身に着用し、このテープが走る自動車からの光を反射するようにするものである。しかし、ドライバが夕暮れ時にライトを点灯しなかったならば、チョッキはただのガウン以外のなにものでもない。同様に、街灯が反射性材料を照明し、又は自動車からの光がベルトに向けられる場所をランニングしない限り、ランナーが着用する反射性ベルトは効果がない。
【０００５】
より最近、夕暮れ又は暗闇にてより見え易くするための試みとして、ランナー又はジョガーは個々に作動させる色々な型式の光伝送装置を装着している。かかる光伝送装置は、ランナーの肢に取り付けられ、自己密閉式の電池パックを有する脚ライトのようなランナーの片一方の肢又は両方の肢に取り付けられるもの、連続的な光線を提供するランプ及び反射器を含む。その他の型式のものは、光を投射する分散レンズを有する閃光又は明滅光を利用する。また、暗闇にて人間をより見易くする、非常に見やすい光源を提供し得るように、人のベルト又は服にクリップ留めすることのできるフラッシング・エアプレーン・ストロボライトが利用可能である。しかし、これらの装置は、光源の強度又は光を見ることのできる角度の何れかの点にて制限されている。これら装置の殆どは、１６０乃至１８０°以上の角度では見ることができない。このため、側部からのような、装置を見ることのできない角度から自動車がランナーに接近するならば、ドライバは、衝突を避けることができなくなる迄、ランナーに気付かない。これを解決するため、多数のランプを利用することができるが、この方策は、ランナーにとって余分な重量及び不快さを与えることになる。また、多くの反射性ベルトは、光が比較的低レベルであり、限られた見易さしか提供できないエレクトロルミネッセンス材料を使用する。
【０００６】
本発明は、遠くの位置から見ることができ、また、ランナーが快適に装着可能な反射性ベルト又はチョッキ内に内蔵させることができ、走る自動車のドライバが任意の接近角度にてランナーに気付くようにする、遥かに強力な光を提供することにより従来から公知の光放出装置の上述した限界及び短所を解決するものである。
【０００７】
【発明の概要】
本発明は、反射性ベルト及び安全チョッキのような安全装置にて現在利用されているものよりも高強度の光を伝送する装置を提供する上でより効果的である光伝送方法及び装置に関するものである。この装置は、閃光電球、発光ダイオード（ＬＥＤ）等のような光源と、熱溶融型接着剤として一般に使用される可撓性の熱可塑性樹脂から成る全体として細長い１つ以上の部材の形態をした、自己支持型の光伝導性媒質とを備えている。この熱溶融性の接着材料は、多岐に亙る長さ及び断面プロファイルにて且つ種々の程度の明度及び透明度にて形成することができる。この材料は極めて可撓性であり且つ高透明度すなわち明度を有し、このため、この光源を部材の端部に配置したとき、光は、比較的高強度にて部材の長さに沿って下方に伝送され、エレクトロルミネッセンス材料と比較して光による見易さを向上させる。
【０００８】
また、本発明は、着用者に不快さを与えることなく、ランナー又はその他のユーザの身体に着用される反射性ベルト及びチョッキの双方又はその何れか一方に内蔵することができ、また、その可撓性が大であるため、身体の輪郭に順応する光放出装置をも対象とするものである。熱溶融型接着剤部材を使用する１つの方法は、全体として端部から端部への長さを軸方向に整合させた熱溶融接着剤ロッドを利用するものであり、この場合、ロッドと一対の導電性織地材料ストリップとの間に発光ダイオードが介在され、該ストリップがロッドに対して平行であり、また、織地からダイオードへの接続部を有している。かかる構造体は、押出し成形、射出成形等のような多数の方法にて形成することができる。
【０００９】
本発明は、ベルトが「ベルクロ（Ｖｅｌｃｒｏ）」材料のストリップ又はバンドにて形成され、ループストリップが不透明で且つ光反射性であり、フックストリップが光の伝送を許容する半透明であり、部材及びダイオードがストリップの間に配置され、ストリップは、部材の周りに形成され且つ「ベルクロ」材料のフックアンドループ構造体により共に接続された、光放出ベルトを提供することを更に対象とするものである。
【００１０】
【発明を実施する最良の形態】
本発明の一例としての実施の形態を図示する図面の開示をより具体的に参照すると、図１には、本発明の照明されたベルト１１を使用することがでるであろう子供又は大人の何れかである人間１０が開示されている。ベルト１１は、暗闇で遊ぶ子供か、又は暗闇でランニングし又はウォーキングし、走る自動車のドライバが気付いて欲しい大人の何れかである着用者の腰の周りに装着した状態で図示されている。かかるベルトは、交通整理をする警察官又は夜間の火事に出動する消防員に特に適していると考えられる。
【００１１】
ベルト１１は、不透明の光反射性材料の細長い裏当てストリップ１２と、光を透過し且つ他の者が見ることができる材料で出来た細長い半透明の前側ストリップ１３とから形成されている。裏当て及び半透明材料ストリップにて形成された管又は収容部分内には光伝送装置１５が存在する。この光伝送装置１５は、熱溶融型接着材料として一般に公知の実質的に透明の熱可塑性材料で出来た１つ以上の細長い部材１６から成っている。この材料は、主として、ミネソタ州、セントポールのＨ．Ｂ．フーラー・カンパニー（Ｈ．Ｂ．Ｆｕｌｌｅｒ  Ｃｏｍｐａｎｙ）が製造する材料Ｎｏ１１０として特定されるエチレン酢酸ビニル、アドヘイシブ・テクノロジィズ（Ａｄｈｅｓｉｖｅ  Ｔｅｃｈｎｏｌｏｇｉｅｓ）の事業部であるアドテック・プラスチック・システムズ・アンド・コーポ−レーション（Ａｄ−Ｔｅｃｈ  Ｐｌａｓｔｉｃ  Ｓｙｓｔｅｍｓ＆Ｃｏｒｐ．，）が製造する、「クラフティ」熱溶融型接着剤として指定される材料Ｎｏ．１１０の低密度ポリエチレン（「クラフティ」はアドテック・プラスチック・システムズ・アンド・コーポ−レーションの登録商標）として特定されており、また、ニューハンプシャー州、シーブロックのハイゾル・エンジニアリング・アドヘイシブ（Ｈｙｓｏｌ  Ｅｎｇｉｎｅｅｒｉｎｇ  Ａｄｈｅｓｉｖｅｓ）が製造する＃７８２０ハイゾル（Ｈｙｓｏｌ）として特定されたポリプロピレン熱可塑性樹脂又はポリアミド接着剤とからなる。上記の材料の全ては、可撓性が大で且つ高度の明度、すなわち透明度を有している。Ｈ．Ｂ．フーラーのエチレン酢酸ビニル材料はペレット、袋入り及び不定長さのロッドにて供給される。これらロッドは極めて可撓性であり、その透明度は、３００乃至３５０のＰの範囲内でその材料を加熱し且つその材料を急速に冷却することで設定される。
【００１２】
ロッド又はその他の細長い部材に対する光伝送源を提供するため、ベルト１１内で軸方向に伸びる部材１６の端部の間の隔てた位置に複数の発光ダイオード１７が配置される。また、モンサント・カンパニー（Ｍｏｎｓａｎｔｏ  Ｃｏｍｐａｎｙ）の登録商標名である「フレクトロン（Ｆｌｅｃｔｒｏｎ）」というような伝導性織地の２つのストリップ又はバンド１８、１９がロッドに対し平行に配置されている。該織地は、電源（図５参照）から接続線２１によりダイオードに電流を伝導するニッケル又はニッケル／銅メッシュ材料である。
【００１３】
部材１６は、所望の光の伝送程度に依存して任意の適当な長さであり、その間にダイオード１７を介在させ、また、部材、ダイオード及び伝導性織地をストリップの間に配置し、ストリップをその外端縁２２にて共に縫い合わせることにより細長い材料ストリップ１２、１３の間に配置することができる。プラスチック材料、伝導性織地及びダイオードを押出し成形機内に供給して、押出し成形し、熱可塑性材料が所望の断面プロファイルに形成され、ダイオード及び伝導手段が伝導性織地及びダイオードに対する電気絶縁体として機能するプラスチック内に埋め込まれるようにし、又は、織地及びダイオードを適当な金型内に配置し、熱溶融型接着性の熱可塑性材料を光伝導性装置の周りに射出成形し又はトランスファー成形しその後、急速に冷却して最大程度の透明度が得られるようにすることができる。
【００１４】
部材１６は、エチレン酢酸ビニル熱可塑性材料の適当な長さのものであり、光伝送源１７は、近赤外線又は赤外線等のような可視光又は非可視光の何れかの任意の光放出源とすることができる。より一般的な形態の照明は、比較的高強度の閃光電球、発光ダイオード、ハロゲンランプ又はレーザを含む。伝導性材料は、図示するような伝導性織地又はその他の適当な導電性繊維、ポリマー、液体、ガス、金属又は電気エネルギを発光源の電気的入力に伝送するかかる材料の任意の組み合わせ体とすることができる。光伝導性材料は、また装置に対する電気的絶縁体として機能することも可能である。
【００１５】
図５は、３９０９ＬＥＤフラッシャーチップ２４の端子４、５を亙ってスイッチ２３と直列に接続された３．０ボルトの直流電池２２を含み、該端子４が共通の接地点２５に達する、本発明のベルトに電力を供給する適当な電気回路の概略図である。第一のトランジスタ２６は、チップの端子２に接続されたベース２７と、端子６に接続されたエミッタ２８とを備えている。第一のトランジスタのコレクタ２９が第二のトランジスタ３１のベース３２に接続され、該第二のトランジスタは、共通の接地点２５に接続されたエミッタ３３と、複数のダイオード１７の一側部３６に達するコレクタ３４とを備えている。ダイオードの両側部３７はダイオードにより電池２２と並列に接続されている。また、コンデンサ３８がチップの端子２、８の間に接続されている。
【００１６】
反射性ベルト４１の第二の実施の形態が図６乃至図９に図示されており、この場合、ベルトはリフレックスサイトコーポレーション（Ｒｅｆｌｅｘｉｔｅ  Ｃｏｒｐｏｒａｔｉｏｎ）の登録商標名である「リフレッスクサイト（Ｒｅｆｌｅｘｉｔｅ）」として公知の逆反射性材料で形成されている。このベルトは、光を前方に反射する白色の裏当て材、すなわち細長いストリップ４２と、光を拡大するビニル・レンズである前側の細長いストリップ４３とから成っている。部材４４、ダイオード４５及びそれらの接続部は、ストリップ４３、４４により形成された管又は収容部内に配置されており、これと共に、図５に図示するような回路を保持する回路板４６及び回路に対する電源を提供する電池パック４７が配置されている。ビニル・レンズはロッドからの光を該ロッドの全長に沿ってより均一に拡散し、光は一定のグロー又は閃光或いは明滅光として相当な距離を投射される。
【００１７】
反射性ベルト５１の第三の実施の形態が図１０に開示されており、ここで、ベルトは裏当てストリップ又はバンド５２と、前側の半透明ストリップ又はバンド５３とにより形成され、１つ以上の細長い光伝送部材５４が反対方向に向けた一対の発光ダイオード５５、５６の間に配置されており、光をダイオードから部材５４の方に向ける。この実施の形態において、ダイオード５５、５６は、色が相違し且つ異なる速度にて明滅し又は閃光し、着用者に対し多色にて閃光するベルトが提供されるようにすることができる。
【００１８】
図１１に図示するように、細長い光伝送部材６１は、熱溶融型接着プラスチックで出来た円形の上面６２及び凹状の下面６３を有する不規則的なプロファイルを備えている。長手方向に隔てたダイオード６４が部材６２の中央の凹状引込部６３内に受け入れられる。ダイオードは、該ダイオードの周りに形成され且つ引込部６３を充填する熱溶融型接着剤６５内に埋め込まれる。ダイオードは、部材６２の長さに沿って光を向け得るように配置される。ダイオードに対し電力を供給する適当な接続部６６も熱溶融型接着剤６５内に埋め込まれている。
【００１９】
図１２には、図１１に図示したものと同様の別の細長い光放出部材６７が開示されており、該部材は、丸味を付けた上面６８と、下面に形成された凹状の引込部６９とを有する不規則的なプロファイルを有している。該引込部６９は、塗布した熱溶融型接着剤７２内に長手方向に隔てられ、光を部材に沿って向け得るように配置さる、ダイオード７１を受け入れる。部材の光伝送特性を向上させる光反射マイクロプリズム７３のような、ある型式の反射装置が下面に形成されている。部材６１、６７の双方を適当な押出し成形機から押出し成形し、部材が押出し成形機から出るとき、ダイオード及び熱溶融型接着剤を部材に取り付けることができる。また、部材６７のプリズム面を提供するため適当なローラ又はその他の部品を使用することができる。
【００２０】
反射性ベルト８１の第四の実施の形態が図１３及び図１４に図示されており、ここで、ベルクロ・カンパニー（Ｖｅｌｃｒｏ  Ｃｏｍｐａｎｙ）の登録商標名である「ベルクロ（Ｖｅｌｃｒｏ）」、ＹＫＫの登録商標名である「コスモロン（Ｃｏｓｍｏｌｏｎ）」の半透明ナイロン、ポリプロピレン、ポリエチレン又はポリエステルの細長いストリップ又はフックアンドループ型式の材料を有する同様の材料を利用して、ベルト又は部材８７及びダイオード８８を収容する収容部を形成することができる。ベルトは、ループ８３を含む「ベルクロ」型式の材料の裏当てストリップ８２にて形成され、該ストリップは、ロッドから前方に伝送された光を反射し得るように白色又は明るい色の材料で出来たものとする。「ベルクロ」材料の前側半透明ストリップ８４はパワーフック８５の材料を保持している。部材及び光源は、部材、光及び接続材料が「ベルクロ」ストリップにより形成された管内に配置されるように互いに対面するフックアンドループを有する「ベルクロ」材料ストリップの間に保持されており、フック及びループはその端縁８６にてストリップを共に接続してベルトを形成する。
【００２１】
図１５及び図１６には、鉄道作業員、道路建設作業員等を含む、多数の産業における作業員が着用するような安全チョッキ９１にて適当な光源及び反射性材料を使用することが開示されている。かかるチョッキは、材料の光伝送特性に影響を与えることなく断面にて使用することもできる。部材は、また、光伝送の損失が最小の状態にてその端部にて接続することもできる。光は、部材の端部のみならず、任意の角度にて伝送することができる。このように、光は、その軸線に対して垂直に、又はその軸線に対して任意の他の角度にて投射することができ、また、光は材料を通じて伝送される。エチレン酢酸ビニルプラスチックの代替品として利用可能なものは、イーストマン・ケミカル・カンパニー（Ｅａｓｔｍａｎ  Ｃｈｅｍｉｃａｌ  Ｃｏｍｐａｎｙ）が製造する「スペクトラル（Ｓｐｅｃｔｒａｌ）」として特定される低密度ポリエチレン、ポリプロピレン、コポリエステルプラスチック、及びハイゾル・エンジニアリング・アドヘシイブがＮＯ．７８２０ハイゾル又はその組み合わせとして特定するポリアミド熱可塑性樹脂であるが、これらの材料はエチレン酢酸ビニル熱可塑性樹脂のように極めて可撓性とし又はそれ程、可撓性でなくともよい。例えば、「スペクトラル」材料は、光学的明度が大であり且つエチレン酢酸ビニル熱可塑性樹脂よりも硬い、比較的硬質のプラスチックである。光伝導性材料は、光放出源により駆動されたとき、内側及び外側の全ての面から全ての方向に光を放出する。また、装置が可燃状況にて使用されるとき、熱可塑性の熱溶融型接着剤は発火又は爆発を防止し得るように適当な燃焼遅延剤により処理することができる。
【００２２】
熱溶融型接着剤よりも透明なシーラントである、その他の適当な材料は、任意の適当な長さのビードに施工すべき透明なゲルとして利用可能な次の商業的製品を含む。かかる製品は、グリッデン・カンパニー（Ｇｌｉｄｄｅｎ  Ｃｏｍｐａｎｙ）のマコー・アドヘシイブ（Ｍａｃｃｏ  Ａｄｈｅｓｉｖｅｓ）事業部の商標名である「リキッド・シール（Ｌｉｑｕｉｄ  Ｓｅａｌ）」、エクレクティツク・プロダクツ・インコーポレーテッド（Ｅｃｌｅｃｔｉｃ  Ｐｒｏｄｕｃｔｓ，Ｉｎｃ．，）の登録商標名である「シュー・グー（Ｓｈｏｅ  Ｇｏｏ）」、及び「シュー・グー・セカンド（Ｓｈｏｅ  Ｇｏｏ  ＩＩ）」、エクレクティック・プロダクツ・インコーポレーテッドの商標名である「アメーズイング・グープ（Ａｍａｚｉｎｇ  Ｇｏｏｐ）」接着剤を含む。後者の製品は、基本的にプロピルアセテート及び石油蒸留物にて形成されたゲルである。これら製品の各々は、ゲルとして施工され、このゲルは、次に、硬化して光の伝送に利用することのできるシーラントの可撓性のビードとなる。
【００２３】
光伝導性材料の外面を選択的に刻み目を付けることにより光の出力強度を増すことができ、又は、光伝導性材料の面を適当な反射性材料にて選択的に裏当てすることにより更に増すことができる。これにより得られる効果を変化させ得るように、光伝導性媒質に色素又は着色剤を添加することができる。また、赤、緑及び青色の光放出ダイオードの可視光出力をベルト又はチョッキの部材等と組み合わせることができ、この場合、光はコアを貫通して進み又は光伝導性媒質の表面に沿って進み、６４の色スペクトル列を実現する。また、所望の光出力の特徴を実現し得るように、光伝導性部材又はストランドを層状にし、結束し又は幾つかの組み合わせにて織ることができる。
【００２４】
図５に図示した回路は、３．０ボルトの電池パックを有する光源を作動させるが、所望の電圧及び電流の直流の電圧に変換可能な直流又は交流の何れかの他の電源と共に、異なるチップを含むその他の入手可能な回路を利用することができる。
【図面の簡単な説明】
【図１】  人間の腰の周りに装着した、本発明による反射性ベルトを着用する者の外観図である。
【図２】  反射性ベルトにて使用される光放出源の１つの実施の形態の正面図である。
【図３】  光放出源を保持する反射性ベルトの斜視図である。
【図４】  図３の線４−４に沿った縦断面図である。
【図５】  ベルトに対するダイオード又はその他の光源を作動させる電子回路の概略図である。
【図６】  ダイオード及び光放出部材を備える後方反射性テープを利用する反射性ベルトの第二の実施の形態の斜視図である。
【図７】  ベルトの前側の半透明部分を省略した、光放出源の平面図である。
【図８】  図６の線８−８に沿った縦断面図である。
【図９】  図６の線９−９に沿った縦断面図である。
【図１０】  光伝送部材と共にダイオードの異なる配置を使用するベルトの第三の実施の形態の一部切欠いた正面図である。
【図１１】  熱溶融型接着剤に埋め込んだダイオードが部材に接続された、光放出部材の別の形態を示す断面図とした拡大斜視図である。
【図１２】  図１１に図示したものと同様の光放出部材の別の形態の拡大断面図である。
【図１３】  「ベルクロ」ファスナ型式の材料を利用する、反射性ベルトの第四の実施の形態の一部を切欠いた正面図である。
【図１４】  図１３の線１４−１４に沿ったベルトの縦断面図である。
【図１５】  本発明の発光ダイオード及び部材を内蔵する、光反射性すなわち安全チョッキを着用する人の全体的な正面図である。
【図１６】  図１５のチョッキの斜視図である。
【図１】
0003886725.tif 000002
【図４】
0003886725.tif 000003
【図２】
0003886725.tif 000004
【図３】
0003886725.tif 000005
【図５】
0003886725.tif 000006
【図６】
0003886725.tif 000007
【図７】
0003886725.tif 000008
【図８】
0003886725.tif 000009
【図９】
0003886725.tif 000010
【図１０】
0003886725.tif 000011
【図１１】
0003886725.tif 000012
【図１２】
0003886725.tif 000013
【図１３】
0003886725.tif 000014
【図１４】
0003886725.tif 000015
【図１５】
0003886725.tif 000016
【図１６】
0003886725.tif 000017